(57)【要約】【課題】電磁接触器の接点部に発生する汚染物質をアーク消弧方式で除去する電磁接触器の外部に時間によって作用方向が変化する磁力を発生させることにより、汚染物質の除去が広く効果的に行われるようにする、電磁接触器の接点部の汚染除去装置を提供する。【解決手段】本発明の一実施形態による電磁接触器の接点部の汚染除去装置は、ハウジング１０と、ハウジング１０の内部に設けられて駆動力を発生する駆動部と、ハウジング１０の内部に回転可能に設けられ、前記駆動力を受けて回転する回転盤３０と、回転盤３０の両端部３１にそれぞれ結合されて一側から他側に向かう磁力を発生する磁性体５０と、ハウジング１０の下部に設けられて内部に電磁接触器を収容できるようにする複数の支持台７０とを含む。【選択図】図１
2015018789.tif 000002
【特許請求の範囲】
【請求項１】
ハウジングと、
前記ハウジングの内部に設けられて駆動力を発生する駆動部と、
前記ハウジングの内部に回転可能に設けられ、前記駆動力を受けて回転する回転盤と、
前記回転盤の両端部にそれぞれ結合されて一側から他側に向かう磁力を発生する磁性体と
を含むことを特徴とする電磁接触器の接点部の汚染除去装置。
【請求項２】
前記駆動部に駆動モータが備えられる、請求項１に記載の電磁接触器の接点部の汚染除去装置。
【請求項３】
前記回転盤の中心軸に従動ギヤが結合され、前記従動ギヤは、前記駆動モータの駆動ギヤに噛み合い、前記駆動モータの回転力を受けて前記回転盤を回転させる、請求項２に記載の電磁接触器の接点部の汚染除去装置。
【請求項４】
前記駆動モータの回転速度を制御することにより前記回転盤の回転速度、回転方向及び回転角度を調整する制御部をさらに含む、請求項２又は３に記載の電磁接触器の接点部の汚染除去装置。
【請求項５】
前記ハウジングの下部に設けられて内部に電磁接触器を収容できるようにする支持台をさらに含む、請求項１〜４のいずれか一項に記載の電磁接触器の接点部の汚染除去装置。
【請求項６】
前記支持台は、高さ調整可能である、請求項５に記載の電磁接触器の接点部の汚染除去装置。
【発明の詳細な説明】
【技術分野】
【０００１】
本発明は、電磁接触器の接点部の汚染除去装置に関し、特に、電磁接触器の接点部に発生する汚染物質をアーク消弧方式で除去する電磁接触器の外部に時間によって作用方向が変化する磁力を発生させることにより、汚染物質の除去が広く効果的に行われるようにする、電磁接触器の接点部の汚染除去装置に関する。
【背景技術】
【０００２】
一般に、電磁接触器は、電磁石の原理を利用して機械的な駆動と電流信号を伝達する電気的な回路開閉装置の一種であって、各種産業用設備、機械や車両などに設けられる。
【０００３】
図４は電気自動車に使用される従来の電磁接触器の内部縦断面図である。同図に示すように、従来の電磁接触器は、ケース１と、ハウジング２と、固定接点３と、可動接点４とを含み、通常電気的信号により接点の開閉制御を行えるように可動接点４を駆動する電気アクチュエータ５、６、７、８をさらに含む。
【０００４】
このような従来の電磁接触器の接点部（固定接点３及び可動接点４）には、製造中に汚染物質が付着する。汚染物質は接点部の接触抵抗を増加させるので、汚染除去作業（クリーニング又はコンディショニング）により表面を清潔に維持しなければならない。
【０００５】
【数１】
2015018789.tif 000003
【発明の概要】
【発明が解決しようとする課題】
【０００６】
【数２】
2015018789.tif 000004
【０００７】
本発明は、このような問題を解決するためになされたものであり、電磁接触器の接点部に発生する汚染物質をアーク消弧方式で除去する電磁接触器の外部に時間によって作用方向が変化する磁力を発生させることにより、汚染物質の除去が広く効果的に行われるようにする、電磁接触器の接点部の汚染除去装置を提供することを目的とする。
【課題を解決するための手段】
【０００８】
本発明の一実施形態による電磁接触器の接点部の汚染除去装置は、ハウジングと、前記ハウジングの内部に設けられて駆動力を発生する駆動部と、前記ハウジングの内部に回転可能に設けられ、前記駆動力を受けて回転する回転盤と、前記回転盤の両端部にそれぞれ結合されて一側から他側に向かう磁力を発生する磁性体とを含む。
【０００９】
ここで、前記駆動部に駆動モータが備えられることを特徴とする。
また、前記回転盤の中心軸に従動ギヤが結合され、前記従動ギヤは、前記駆動モータの駆動ギヤに噛み合い、前記駆動モータの回転力を受けて前記回転盤を回転させることを特徴とする。
【００１０】
一方、本発明の一実施形態による電磁接触器の接点部の汚染除去装置は、前記駆動モータの回転速度を制御することにより前記回転盤の回転速度、回転方向及び回転角度を調整する制御部をさらに含んでもよい。
【００１１】
また、本発明の一実施形態による電磁接触器の接点部の汚染除去装置は、前記ハウジングの下部に設けられて内部に電磁接触器を収容できるようにする支持台をさらに含んでもよい。
【００１２】
また、前記支持台は、高さ調整可能であることを特徴とする。
【発明の効果】
【００１３】
本発明による電磁接触器の接点部の汚染除去装置においては、電磁接触器の外部に時間によって作用方向が変化する磁力を発生させることにより、アーク消弧方式の接点部汚染除去を効果的に行えるという効果がある。
【図面の簡単な説明】
【００１４】
【図１】本発明による電磁接触器の接点部の汚染除去装置を示す斜視図である。
【図２】図１の分解斜視図である。
【図３】本発明による電磁接触器の接点部の汚染除去装置の作用を示す横断面図である。
【図４】従来の電磁接触器の内部縦断面図である。
【図５】従来の接点部汚染除去方法を説明するための従来の電磁接触器の接点部の横断面図である。
【発明を実施するための形態】
【００１５】
以下、添付図面を参照して本発明の好ましい実施形態を説明するが、これは本発明の属する技術の分野における通常の知識を有する者が本発明を容易に実施できる程度に詳細に説明するためのものであり、これにより本発明の技術的な思想及び範疇が限定されるものではない。
【００１６】
まず、図１及び図２を参照して本発明の一実施形態による電磁接触器の接点部の汚染除去装置を詳細に説明する。
【００１７】
図１は本発明による電磁接触器の接点部の汚染除去装置を示す斜視図であり、図２は図１の分解斜視図である。
【００１８】
本発明の一実施形態による電磁接触器の接点部の汚染除去装置は、ハウジング１０と、ハウジング１０の内部に設けられて駆動力を発生する駆動部と、ハウジング１０の内部に回転可能に設けられ、前記駆動力を受けて回転する回転盤３０と、回転盤３０の両端部３１にそれぞれ結合されて一側から他側に向かう磁力を発生する磁性体５０と、ハウジング１０の下部に設けられて内部に電磁接触器を収容できるようにする複数の支持台７０とを含む。
【００１９】
ハウジング１０は、下部が開放された略円筒状に形成される。ハウジング１０の上面は、電磁接触器を収容できる広さに形成され、ハウジング１０の高さは、前記駆動部及び磁性体５０を収容できる長さに形成される。ハウジング１０は、射出成形による合成樹脂物からなるようにしてもよい。ハウジング１０の中心部には、回転盤３０の中心軸３３を回転可能に支持するように支持軸１１が突設されてもよい。支持軸１１には、回転盤３０の中心軸３３を固定するための結合孔１２が長手方向に形成されてもよい。
【００２０】
前記駆動部は、ハウジング１０の内部に設けられる。前記駆動部は、回転盤３０に回転力を与える。前記駆動部には駆動モータ２０が備えられてもよい。駆動モータ２０は、電源によってＡＣモータ又はＤＣモータで構成されてもよい。また、駆動モータ２０は、駆動ギヤ２１の回転速度を調整するための減速ギヤが内蔵されたモータで構成されてもよい。
【００２１】
回転盤３０は、胴部３１と翼部３２とから構成される。胴部３１は、長方形の長い板状に形成されてもよい。胴部３１の中央には、中心軸３３が垂直に突設される。回転盤３０の中心軸３３がハウジング１０の支持軸１１の結合孔１２に挿入結合されることにより、回転盤３０がハウジング１０に回転可能に設けられる。ここで、回転盤３０の中心軸３３がハウジング１０の支持軸１１内に支持されて円滑に回転するように、中心軸３３と結合孔１２との間にはベアリング（図示せず）が介在してもよい。
【００２２】
翼部３２は、胴部３１の両端部で垂直下方に折り曲げられて延設される。つまり、胴部３１の両端部にそれぞれ垂直に延設される翼部３２は互いに対向する。翼部３２は、胴部３１と同じ材質からなるようにしてもよい。
【００２３】
従動ギヤ４０は、回転盤３０の中心軸３３に嵌められる。従動ギヤ４０は、回転盤３０の中心軸３３に固定結合される。従動ギヤ４０は、駆動モータ２０の駆動ギヤ２１に噛み合い、駆動モータ２０の回転力を受けて回転盤３０を回転させる。
【００２４】
磁性体５０は、回転盤３０の翼部３２の内面に結合される。一方の翼部３２ａにはＮ極磁性体５１が取り付けられ、他方の翼部３２ｂにはＳ極磁性体５２が取り付けられており、一方の翼部３２ａから他方の翼部３２ｂに向かう磁力Ｂが発生する。
【００２５】
また、ハウジング１０の一部に制御部６０が設けられてもよい。制御部６０はＰＣＢ基板からなるようにしてもよい。制御部６０は、駆動モータ２０の回転速度を制御することにより、回転盤３０の回転速度、回転方向及び回転角度などを制御することができる。駆動モータ２０の回転速度を制御する方法の１つとしては、電源部から駆動モータ２０に入力される電源の電圧を調整する方式を活用することができる。
【００２６】
制御部６０は、回転盤３０の回転角度を制御することにより、回転盤３０の翼部３２を特定の位置にすることができる。これにより、磁性体５０から発生する磁力Ｂの方向を調整することができる。
【００２７】
一方、駆動モータ２０は、ステップモータで構成してもよい。この場合、従動ギヤ４０や制御部６０が備えられなくても、ステップモータが所定角度ずつ回転することにより、回転盤３０を所定角度ずつ順次回転させることができる。
【００２８】
ハウジング１０の下部には支持台７０が複数形成されており、ハウジング１０を地面から離隔させて支持する。支持台７０は、単に支持棒としての役割を果たすようにしてもよい。支持台７０は、高さ調整可能に形成されてもよい。一例として、アンテナやカメラの三脚のように内接するスライド方式の支持台７０を示す。支持台７０の高さを調整することにより、様々な大きさの電磁接触器を収容することができる。
【００２９】
次に、図３を参照して本発明の一実施形態による電磁接触器の接点部の汚染除去装置の作用を説明する。
【００３０】
汚染除去作業を行う電磁接触器１００を電磁接触器の接点部の汚染除去装置のハウジング１０の下部に置き、支持台７０の高さを調整して固定接点１０３及び可動接点１０４の高さとＮ極磁性体５１及びＳ極磁性体５２の高さを一致させる。
【００３１】
【数３】
2015018789.tif 000005
【００３２】
制御部６０の動作により、回転盤３０は時間の変化によって所定角度ずつ回転（例えば、図３の例においてはａ→ｂ→ｃ→ｄ→ｅ→ｆの位置に順次回転）し、Ｎ極磁性体５１及びＳ極磁性体５２に発生する磁力Ｂの方向も変化（例えば、図３の例においては上側から下側に向かう方向から時計方向に変化）する。磁力Ｂの方向が変化することによりアークが受ける力Ｆ、Ｆ’の方向も変化するので、力Ｆ、Ｆ’は固定接点１０３及び可動接点１０４の表面全体にわたって均一に作用し、汚染物質を効果的に除去することができる。
【００３３】
Ｎ極磁性体５１及びＳ極磁性体５２から発生する磁力Ｂは電磁接触器１００の内部に設けられたアーク消弧用磁性体１０５から発生する磁力と合わせられ、最終の磁力Ｂの方向が決定される。ここで、Ｎ極磁性体５１及びＳ極磁性体５２から発生する磁力Ｂがアーク消弧用磁性体１０５から発生する磁力に比べて非常に大きい場合、最終の磁力Ｂの方向はＮ極磁性体５１及びＳ極磁性体５２から発生する磁力Ｂの方向と略一致する。
【００３４】
以上、本発明の好ましい実施形態により本発明を詳細に説明したが、本発明の属する技術の分野における通常の知識を有する者であれば、本発明の要旨及び範囲を逸脱しない限り、前述した実施形態から様々な変形が可能であることを理解するであろう。よって、本発明の権利範囲は、前述した実施形態に限定されて定められてはならず、添付の特許請求の範囲及びその均等物により定められるべきである。
【符号の説明】
【００３５】
１０    ハウジング
１１    支持軸
１２    結合孔
２０    駆動モータ
２１    駆動ギヤ
３０    回転盤
３１    胴部
３２    翼部
３２ａ    一方の翼部
３２ｂ    他方の翼部
３３    中心軸
４０    従動ギヤ
５０    磁性体
５１    Ｎ極磁性体
５２    Ｓ極磁性体
６０    制御部
７０    支持台
１００    電磁接触器
１０３    固定接点
１０４    可動接点
１０５    アーク消弧用磁性体
【図１】
2015018789.tif 000006
【図２】
2015018789.tif 000007
【図３】
2015018789.tif 000008
【図４】
2015018789.tif 000009
【図５】
2015018789.tif 000010